(57)【要約】      （修正有）【課題】熱風によって手指を乾燥すると同時に紫外線によって殺菌し、また、防犯や広報活動にも役立てられるエアータオル装置を提供する。【解決手段】壁面取付型のエアータオル装置であって、キャビネット１の前面に液晶表示ディスプレイを設け、液晶表示ディスプレイに広告や公共案内等の予め設定された動画を表示するとともに、映像を一定時間録画可能な半導体メモリ１６を備えたビデオカメラ１５をキャビネット内に設け、キャビネットの前面または側面に開設した小孔１７，１８を通し撮影し、その映像を半導体メモリ１６に一定時間で上書保存する。【選択図】図２
0003191229.tif 000002
【実用新案登録請求の範囲】
【請求項１】
キャビネット内に送風機と電熱ヒータとセンサを内蔵し、該キャビネットの下側に吹出口および紫外線殺菌灯を設け、該吹出口に手を近づけることにより熱風が吹き出して手を乾かすと同時に紫外線により殺菌されるように構成した壁面取付型のエアータオル装置であって、該キャビネットの前面に液晶表示ディスプレイを設け、該液晶表示ディスプレイに広告や公共案内等の予め設定された動画を表示するとともに、映像を一定時間録画可能な半導体メモリを備えたビデオカメラを該キャビネット内に設け、該キャビネットの前面または側面に開設した小孔を通し該ビデオカメラにより撮影された周囲の新しい映像が前記半導体メモリに一定時間で上書保存されるようにしたことを特徴とするエアータオル装置。
【考案の詳細な説明】
【技術分野】
【０００１】
本考案は、熱風によって手指を乾燥すると同時に紫外線によって殺菌するエアータオル装置に関するものである。
【背景技術】
【０００２】
エアータオル装置は、周知のように、キャビネット内に送風機と電熱ヒータとセンサが内蔵され、該キャビネットの下側に開設された吹出口に手を近づけることにより、該センサが感知して送風機およびヒータが作動し、熱風が吹き出すように構成したもので、従来から飲食店，病院，ホテル，オフイスビル，デパート等の公共トイレの壁面に取り付けられている。
【０００３】
下記特許文献１に示されたエアータオル装置は、キャビネットの前面に宣伝，広告、或いは公共案内等が発光状態にて表示されるようにしたものである。
また、特許文献２には、特定の波長の紫外線を照射するとともに、特定温度の温熱空気を特定の吹出速度で吹き出すことにより、水で洗った後の濡れた手を速やかに乾かすと同時に殺菌するエアータオル装置が示されている。
【先行技術文献】
【特許文献】
【０００４】
【特許文献１】実用新案登録第３０４７６１８号公報
【特許文献２】実用新案登録第３１５７４６０号公報
【考案の開示】
【考案が解決しようとする課題】
【０００５】
ところで、公共トイレは通常は監視する人がいないため、器物毀損や暴力的或いは性的な犯罪場所になり易いという問題がある。
そこで本考案は、公共トイレの出入口の近辺に設けられるエアータオル装置に新たに犯罪防止機能が備わるようにし、該エアータオル装置が防犯や広報活動にも役立てられるようにするものである。
【課題を解決するための手段】
【０００６】
そのために本考案は、キャビネット内に送風機と電熱ヒータとセンサを内蔵し、該キャビネットの下側に吹出口および紫外線殺菌灯を設け、該吹出口に手を近づけることにより熱風が吹き出して手を乾かすと同時に紫外線により殺菌されるように構成した壁面取付型のエアータオル装置であって、該キャビネットの前面に液晶表示ディスプレイを設け、該液晶表示ディスプレイに広告や公共案内等の予め設定された動画を表示するとともに、映像を一定時間録画可能な半導体メモリを備えたビデオカメラを該キャビネット内に設け、該キャビネットの前面または側面に開設した小孔を通し該ビデオカメラにより撮影された周囲の新しい映像が前記半導体メモリに一定時間で上書保存されるようにしたことを特徴とする。
【考案の効果】
【０００７】
本考案に係るエアータオル装置では、手を乾かすという本来の機能に加えて、液晶表示ディスプレイによりエアータオルの利用者の目前に宣伝，広告、或いは公共案内等を鮮やかに表示され、効果的な案内ができるとともに、周囲の状況がビデオカメラにより撮影され半導体メモリに一定時間保存されることから、犯罪防止にも役立つ。また、液晶表示ディスプレイや防犯カメラ等をそれぞれ別途に設けるよりも設置工事が簡単であるので、低コストで犯罪防止や広報活動ができるようになる。
【考案を実施するための最良の形態】
【０００８】
次に本考案の実施の形態を図面に従い説明する。このエアータオル装置は金属板製のキャビネット１内に、モータ２により回転する送風機３が設けられ、該送風機３は吹出筒４が下向きに設けられていて、該吹出筒４内に電熱ヒータ５が設けられ、先端の吹出口６が該キャビネット１の下側に開口している。７は該キャビネット１の両側面に形成された通気孔、８は吹出口６付近に設けられた赤外線センサ、９は該キャビネット１の下辺部奥に設けられた紫外線殺菌灯である。
【０００９】
１０はキャビネット１の前面に設けた液晶表示ディスプレイ、１１はキャビネット１内に設けられた画像制御装置で、該画像制御装置１１に書き換え可能な半導体メモリであるＵＳＢメモリ１２が着脱自在に設けられ、該半導体メモリ１２に予め記憶された宣伝，広告、或いは公共案内等の動画が該液晶表示ディスプレイ１０に表示される。１３はキャビネット内側壁に設けられたスピーカで、該スピーカから液晶表示ディスプレイ１０の表示と連動した音声，ＢＧＭ等が再生される。なお、１４は画像制御装置１１を制御するリモコン（図示せず）から発せられた赤外線を受けるためにキャビネット１の前面に設けられた受光器窓である。
【００１０】
また、１５は該キャビネット内に設けられたビデオカメラで、該ビデオカメラ１５には映像を一定時間録画可能で書き換え可能な半導体メモリであるＳＤカード１６が着脱自在なるように設けられている。そして、該キャビネットの前面に開設された小孔１７または該キャビネットの側面に開設された小孔１８に該ビデオカメラ１５のレンズを臨ませ、該ビデオカメラ１５によって周囲の映像が撮影され、該映像が該半導体メモリ１６に一定時間で上書保存されるようにする。
【００１１】
このように構成したエアータオル装置は、例えばデパートや駅、病院，ホテル，オフイスビル等の公共のトイレの出入口に近い所であって洗面台が設置されている場所の側壁内面に取り付けられる。そして、利用者が濡れた手を吹出口６に近づけることで赤外線センサ８がその手を感知し、電熱ヒータ５，送風機３を作動させ、熱風が吹き出て手指を乾燥させると同時に、紫外線殺菌灯９が点灯し該殺菌灯から放射される紫外線が手指に当たる。こうして、熱風と紫外線とが同時に１０〜１５秒間に手指に当たることで、熱風と紫外線との相乗効果により、手指に付着していた感染性ウイルス菌，ＭＲＳＡ，病原性大腸菌，サルモネラ菌，黄色ブドウ状球菌、等がほぼ完全に殺菌される。このためこのエアータオル装置を使用することにより、食中毒、感染症等の予防に絶大な効果がある。
【００１２】
また、例えば、正しい手洗方法などを分かり易く示すような動画、或いは、宣伝，広告、公共案内等の任意の動画を前記半導体メモリ１２に予め記憶させておくことにより、液晶表示ディスプレイ１０にこれらの動画が表示され、このエアータオル装置の利用者の目前でこうした動画が表示されるので、利用者に確実にこれらのメッセージを伝えることができる。
【００１３】
一方、前記小孔１７または小孔１８を通しビデオカメラ１５により周囲の状況を利用者のプライバシーを侵害しない範囲で限定的に撮影することができるとともに、撮影した映像は半導体メモリ１６に一定時間保存される。このため、撮影してから例えば２４時間が経過すると該半導体メモリ１６に保存されていた映像が新しい映像に更新されるようにし、常に一定時間内の最新映像が該半導体メモリ１６に保存されるようにすることにより、何らかの事件、犯罪があった場合に、該半導体メモリ１６に記憶された映像を検証することで、犯罪防止に役立てられるようになる。
【図面の簡単な説明】
【００１４】
【図１】本考案の実施形態を示したエアータオル装置の斜視図。
【図２】図１に示したエアータオル装置の部分断面正面図。
【図３】図１に示したエアータオル装置の縦断面図。
【符号の説明】
【００１５】
１          キャビネット
３          送風機
５          電熱ヒータ
６          吹出口
８          センサ
９          紫外線殺菌灯
１０        液晶表示ディスプレイ
１５        ビデオカメラ
１６        半導体メモリ
１７，１８  小孔
【図１】
0003191229.tif 000003
【図２】
0003191229.tif 000004
【図３】
0003191229.tif 000005